(57)【要約】【課題】給水パイプの吐出口から給水される水を有効に利用する。トイレ室を音や光及び種々の造形物により装飾する。楽しさを向上させる。トイレ室の美観を向上させる。【解決手段】給水源に連結された給水パイプ２５の一端２５ａを水タンク１１の上方に導出し、前面側に流路面２１ａを有し、且つ吐出口２３が形成された装飾部材２１を水タンク１１の上方に配設する。吐出口２３に給水パイプ２５の一端２５ａを連結し、吐出口２３からの水の流れを装飾部材２１の前面側の流路面２１ａより視認する。流路面２１ａを通過した水を蓋体１５に集水し、蓋体１５に集水した水をタンク本体１３内に貯留する。装飾部材２１を略長方形状，楕円形状，円形状等から形成する。装飾部材２１の流路面２１ａに水車３３，造形物３５等からなる装飾体３１を設ける。【選択図】　図１
2004044194.tif 000002
【特許請求の範囲】
【請求項１】
水洗便器と水タンクとを備え、前記水タンクに給水源側から給水され、前記水タンク内の貯留水を排水口より水洗便器内に操作部材の操作に応じて排水するようになされた水洗トイレの給水装置において、
前記給水源に連結された給水パイプの一端を水タンクの上方に導出し、前面側に流路面が形成され、且つ流路面の一部に吐出口が形成された装飾部材を前記水タンクの上方に配設し、前記装飾部材の吐出口に前記給水パイプの一端を連結し、該吐出口からの水の流れを前記装飾部材の前面側の流路面より視認することができるようになされていることを特徴とする水洗トイレの給水装置。
【請求項２】
水洗便器と水タンクとを備え、前記水タンクに給水源側から給水され、前記水タンク内の貯留水を排水口より水洗便器内に操作部材の操作に応じて排水するようになされた水洗トイレの給水装置において、
前記給水源に連結された給水パイプの一端を水タンクの上方に導出し、前面側に流路面が形成され、且つ流路面の一部に吐出口が形成された装飾部材を前記水タンクの上方に配設し、前記装飾部材の吐出口に前記給水パイプの一端を連結し、該吐出口からの水の流れを前記装飾部材の前面側の流路面より視認することができるようになされ、該装飾部材の流路面を通過した水を流路面の下部の水受け部に集水し、該水受け部に集水した水を前記水タンク内に貯留することを特徴とする水洗トイレの給水装置。
【請求項３】
前記装飾部材が正面から見て略長方形状，楕円形状，円形状及びこれらの形状の組み合わせから形成され、前記装飾部材の流路面に装飾体が設けられていることを特徴とする請求項１または請求項２に記載の水洗トイレの給水装置。
【請求項４】
前記装飾体が回転可能な水車，光る水車または音がする水車、擬岩その他の造形物、苔等の植物、光ファイバーまたはランプ、及び消臭材の何れか１つまたは複数からなることを特徴とする請求項３に記載の水洗トイレの給水装置。
【請求項５】
前記装飾部材が金属板，合成樹脂板，ガラス板または陶器板の何れかからなり、前記給水パイプの吐出口が装飾部材の上部に１箇所または複数箇所に設けられていることを特徴とする請求項１，請求項２または請求項３に記載の水洗トイレの給水装置。
【発明の詳細な説明】
【０００１】
【発明の属する技術分野】
本発明は、水洗トイレの給水装置に関し、更に詳細に説明すると、水洗便器と水タンクとを備え、前記水タンクに給水源側から給水され、前記水タンク内の貯留水を排水口より水洗便器内に操作部材の操作に応じて排水するようになされた水洗トイレの給水装置に関する。
【０００２】
【従来の技術】
従来より、水洗トイレは水洗便器と水タンクとを備え、前記水タンクに給水源側から給水されて所定量の水が水タンクに貯留されている。水洗便器を洗浄する場合に、前記水タンクの側部等に設けられた操作部材を操作して水タンクの排水弁を開閉し、前記水タンク内の貯留水を排水口より水洗便器内に排水するようになされている。
【０００３】
従来の水洗トイレの水タンクの上部には開閉可能な凹状の蓋体が設けられ、この蓋体の上部に給水源側に連結された給水パイプの吐出口が配置され、この給水パイプの吐出口側が略逆Ｕ字状に形成され、給水パイプの吐出口から下方に向かって噴出される水を利用して手洗いができるようになされている。またこの水タンクの上部の凹状の蓋体に設けた注入孔に芳香消臭剤を配置し、または飾りとして回転羽根を有する飾り水車等を載置し、更には造花やビー玉等を配置している。
【０００４】
【発明が解決しようとする課題】
然し乍ら、従来の水洗トイレの給水装置においては、給水パイプの吐出口から給水される水を単に水タンクに貯留するだけであったり、給水パイプの吐出口から給水される水で手洗いができるようになされている程度であり、給水パイプからの水を十分に利用しているとは言えないものであった。また水タンクの上部の凹状の蓋体の注入孔に芳香消臭剤を配置し、または飾りとして回転羽根を有する飾り水車等を載置するだけで、トイレ室の外観を向上させることができない欠点を有していた。
【０００５】
本発明の目的は給水パイプの吐出口から給水される水を有効に利用することができ、トイレ室を音や光及び種々の造形物等により装飾することができ、楽しさを向上させることができ、トイレ室の美観を簡易に著しく向上させることができる経済性に優れた水洗トイレの給水装置を提供するものである。
【０００６】
【課題を解決するための手段】
本発明は上述せる課題に鑑みてなされたもので、本発明の請求項１に記載の水洗トイレの給水装置は、水洗便器と水タンクとを備え、前記水タンクに給水源側から給水され、前記水タンク内の貯留水を排水口より水洗便器内に操作部材の操作に応じて排水するようになされた水洗トイレの給水装置において、
前記給水源に連結された給水パイプの一端を水タンクの上方に導出し、前面側に流路面が形成され、且つ流路面の一部に吐出口が形成された装飾部材を前記水タンクの上方に配設し、前記装飾部材の吐出口に前記給水パイプの一端を連結し、該吐出口からの水の流れを前記装飾部材の前面側の流路面より視認することができるようになされていることを特徴とする。
【０００７】
また、本発明の請求項２に記載の水洗トイレの給水装置は、水洗便器と水タンクとを備え、前記水タンクに給水源側から給水され、前記水タンク内の貯留水を排水口より水洗便器内に操作部材の操作に応じて排水するようになされた水洗トイレの給水装置において、
前記給水源に連結された給水パイプの一端を水タンクの上方に導出し、前面側に流路面が形成され、且つ流路面の一部に吐出口が形成された装飾部材を前記水タンクの上方に配設し、前記装飾部材の吐出口に前記給水パイプの一端を連結し、該吐出口からの水の流れを前記装飾部材の前面側の流路面より視認することができるようになされ、該装飾部材の流路面を通過した水を流路面の下部の水受け部に集水し、該水受け部に集水した水を前記水タンク内に貯留することを特徴とする。
【０００８】
また、本発明の請求項３に記載の水洗トイレの給水装置は、前記装飾部材が正面から見て略長方形状，楕円形状，円形状及びこれらの形状の組み合わせから形成され、前記装飾部材の流路面に装飾体が設けられていることを特徴とする。
【０００９】
また、本発明の請求項４に記載の水洗トイレの給水装置は、前記装飾体が回転可能な水車，光る水車または音がする水車、擬岩その他の造形物、苔等の植物、光ファイバーまたはランプ、及び消臭材の何れか１つまたは複数からなることを特徴とする。
【００１０】
また、本発明の請求項５に記載の水洗トイレの給水装置は、前記装飾部材が金属板，合成樹脂板，ガラス板または陶器板の何れかからなり、前記給水パイプの吐出口が装飾部材の上部に１箇所または複数箇所に設けられていることを特徴とする。
【００１１】
【発明の実施の形態】
以下、本発明に係る水洗トイレの給水装置を図面を参照して説明する。
図１乃至図５には本発明に係る水洗トイレの給水装置の実施の形態が夫々示されており、図１には水洗トイレの給水装置の正面図が示され、図２には水洗トイレの給水装置の一部側断面図が示され、図３には水洗トイレの給水装置の水平断面図が示され、図４には水洗トイレの給水装置の装飾部材の下部の水受け部の断面図が示され、図５（ａ），（ｂ）には装飾部材の異なる実施の形態が夫々示されている。
【００１２】
図１及び図２に示す如く、本発明の水洗トイレの給水装置に用いられる水洗トイレ１は床面３に取付けられる水洗便器としてのトイレ本体５を有し、このトイレ本体５は一般的には陶器製であるがこれに限定されるものではない。このトイレ本体５の上端には開閉可能な状態で便座６が設けられ、また便座６の上端に便座カバー７が設けられる。
【００１３】
またトイレ本体５の背面側には水タンク１１が設けられている。この水タンク１１は本実施の形態ではロータンクに形成されている。この水タンク１１はタンク本体１３と蓋体１５を備え、タンク本体１３には給水源側から給水され、前記水タンク１１内の貯留水をタンク本体１３の排水口よりトイレ本体５内に操作部材１７の操作に応じて排水するようになされている。尚、タンク本体１３とトイレ本体５とを連結する構成は従来公知の種々の構成を用いることができる。
【００１４】
尚、トイレ本体５の底部の排水構造は従来公知の構成を採用することができ、また水タンク１１には操作部材１７の操作により作動する給水バルブ１９が設けられ、水タンク１１のタンク本体１３内の貯留水の水位を感知して自動的に給水バルブ１９が開閉制御される。
【００１５】
図４に示す如く、前記水タンク１１の蓋体１５にはパイプからなる排水口１５ａが設けられ、また蓋体１５の内側から上方に延びる装飾部材２１が設けられている。この装飾部材２１はトイレ室の正面壁面側に沿って設けられ、平板状で前面側に流路面２１ａが形成されている。
【００１６】
この装飾部材２１は金属板，合成樹脂板，ガラス板または陶器板の何れかから形成することができる。装飾部材２１の下部には逆Ｌ字状の係止部２１ｂが形成され、この係止部２１ｂが蓋体１５の後部に設けられたＬ字状の係止部１５ｂに係止される。また装飾部材２１の上端は正面壁面に係止部材等により係止され、または両面テープ等により取付けられる。尚、係止部１５ｂ，係止部２１ｂは図示の形状構成に限定されるものではなく、種々変更することができる。
【００１７】
前記装飾部材２１の上部に吐出口２３が設けられ、この吐出口２３の背面側に、即ち装飾部材２１の背面側に給水パイプ２５の一端２５ａが連結され、給水パイプ２５の他端２５ｂは給水バルブ１９の導出側に連結され、給水バルブ１９が開状態となった場合に、給水パイプ２５から前記装飾部材２１の上部の吐出口２３を介して前記装飾部材２１の前面側の流路面２１ａに水が流れる。
【００１８】
前記装飾部材２１の吐出口２３から流路面２１ａに供給される水の流れは前記装飾部材２１の前面側の流路面２１ａより視認することができるようになされている。吐出口２３から前方に勢よいよく噴出する虞れがある場合には、吐出口２３に弯曲したカバーを設けるとよい。また吐出口２３からの水が側方に飛び散るのを防止するために、装飾部材２１の両側部に下方に向かうに従い多少肉厚となるカバー部としての側壁部２７が形成されている。
【００１９】
前記装飾部材２１の前面側の流路面２１ａに装飾体３１が設けられている。この装飾体３１は流路面２１ａを流れる水により回転可能な水車３３，光る水車３３または音がする水車３３等から形成されている。尚、装飾体３１は水車３３に限定されるものではなく、擬岩その他の造形物３５、苔等の植物、光ファイバーまたはランプ、及び消臭材等を用いることもできる。また装飾部材２１の前面側の流路面２１ａの装飾体３１を水受け部としての蓋体１５に設けることもできる。
【００２０】
尚、本実施の形態では装飾部材２１の上部に吐出口２３を設けたが、装飾部材２１の下部に吐出口２３を設け、下方より上方に水を噴水のように噴出させることもできる。また吐出口２３を左右または上下に複数設けることもできる。また装飾部材２１の流路面２１ａを通過した水を流路面２１ａの下部の水受け部としての凹状の蓋体１５に集水し、この水受け部としての蓋体１５の上部に集水した水は前記水タンク１１のタンク本体１３内に貯留される。
【００２１】
尚更に、本実施の形態では蓋体１５を水受け部としたが、別途形成された水受け部に集水し、この水受け部をタンク本体１３に連結連通させるものであってもよい。
【００２２】
図５（ａ），（ｂ）に示す実施の形態は、前記装飾部材２１の正面形状の異なる実施の形態を夫々示すもので、図５（ａ）に示す装飾部材２１は、上部が円形２１ｃで、下部が方形２１ｄに形成されたものであり、図５（ｂ）に示す装飾部材２１は、逆台形状２１ｅに形成されている。
【００２３】
尚、装飾部材２１の流路面２１ａに装飾体３１が設けられていることは前述の通りである。また装飾部材２１の正面形状は図示のものの他、略長方形状や楕円形状または円形状及びこれらの形状の組み合わせから種々の形状に形成することができる。
【００２４】
【発明の効果】
以上説明したように、本発明の請求項１に記載の水洗トイレの給水装置によれば、給水源に連結された給水パイプの一端を水タンクの上方に導出し、前面側に流路面が形成され、且つ流路面の一部に吐出口が形成された装飾部材を前記水タンクの上方に配設し、前記装飾部材の吐出口に前記給水パイプの一端を連結し、該吐出口からの水の流れを前記装飾部材の前面側の流路面より視認することができるようになされているので、給水パイプの吐出口から給水される水を有効に利用することができ、トイレ室を音や光及び種々の造形物等により装飾することができ、楽しさを向上させることができ、トイレ室の美観を簡易に著しく向上させることができる。
【００２５】
また、本発明の請求項２に記載の水洗トイレの給水装置によれば、給水源に連結された給水パイプの一端を水タンクの上方に導出し、前面側に流路面が形成され、且つ流路面の一部に吐出口が形成された装飾部材を前記水タンクの上方に配設し、前記装飾部材の吐出口に前記給水パイプの一端を連結し、該吐出口からの水の流れを前記装飾部材の前面側の流路面より視認することができるようになされ、該装飾部材の流路面を通過した水を流路面の下部の水受け部に集水し、該水受け部に集水した水を前記水タンク内に貯留するので、給水パイプの吐出口から給水される水を有効に利用することができ、トイレ室を音や光及び種々の造形物等により装飾することができ、楽しさを向上させることができ、トイレ室の美観を著しく向上させることができ、経済性を向上させることができる。
【００２６】
また、本発明の請求項３に記載の水洗トイレの給水装置によれば、前記装飾部材が正面から見て略長方形状，楕円形状，円形状及びこれらの形状の組み合わせから形成され、前記装飾部材の流路面に装飾体が設けられているので、トイレ室を種々の造形物等により更に装飾することができ、楽しさを更に向上させることができ、トイレ室の美観を著しく向上させることができる。
【００２７】
また、本発明の請求項４に記載の水洗トイレの給水装置によれば、前記装飾体が回転可能な水車，光る水車または音がする水車、擬岩その他の造形物、苔等の植物、光ファイバーまたはランプ、及び消臭材の何れか１つまたは複数からなるのでトイレ室を音や光及び種々の造形物等により更に装飾することができ、楽しさを更に向上させることができ、トイレ室の美観を著しく向上させることができる。
【００２８】
また、本発明の請求項５に記載の水洗トイレの給水装置によれば、前記装飾部材が金属板，合成樹脂板，ガラス板または陶器板の何れかからなり、前記給水パイプの吐出口が装飾部材の上部に１箇所または複数箇所に設けられているので、トイレ室を種々の造形物等により更に装飾することができ、楽しさを更に向上させることができ、トイレ室の美観を著しく向上させることができる。
【００２９】
本発明によれば、給水パイプの吐出口から給水される水を有効に利用することができ、トイレ室を音や光及び種々の造形物等により装飾することができ、楽しさを向上させることができ、トイレ室の美観を簡易に著しく向上させることができる経済性に優れた水洗トイレの給水装置を得ることができる。
【図面の簡単な説明】
【図１】本発明に係る水洗トイレの給水装置の正面図。
【図２】本発明に係る水洗トイレの給水装置の一部側断面図。
【図３】本発明に係る水洗トイレの給水装置の水平断面図。
【図４】本発明に係る水洗トイレの給水装置の装飾部材の下部の水受け部の断面図。
【図５】本発明に係る水洗トイレの給水装置の装飾部材の異なる実施の形態を夫々示すもので（ａ），（ｂ）は概略正面図。
【符号の説明】
１　　水洗トイレ
３　　床面
５　　水洗便器としてのトイレ本体
６　　便座
７　　便座カバー
１１　　水タンク
１３　　タンク本体
１５　　蓋体
１５ａ　排水口
１５ｂ　係止部
１７　　操作部材
１９　　給水バルブ
２１　　装飾部材
２１ａ　流路面
２１ｂ　係止部
２１ｃ　円形
２１ｄ　方形
２１ｅ　逆台形状
２３　　吐出口
２５　　給水パイプ
２５ａ　一端
２５ｂ　他端
２７　　側壁部
３１　　装飾体
３３　　水車
３５　　造形物
【図１】
2004044194.tif 000003
【図２】
2004044194.tif 000004
【図３】
2004044194.tif 000005
【図４】
2004044194.tif 000006
【図５】
2004044194.tif 000007